(57)【要約】【課題】ドアの開閉角度の各位置に対して、各電源の遮断、通電を行うことでドアの開いた状態でもジャム処理位置をユーザーに知らせることができ、ユーザビリティーを向上でき、着脱ユニット内部の電気部品の破損を防止し、ユーザーが安全にユニット着脱できる。逆に開閉角度によって本体の電源を通電状態にすることによって、サービスマンがドアを開いた状態での動作チェックを行え、サービス性を向上させることを目的としている。【解決手段】複数の開閉角度を持ち、装置本体内部を露出するために開閉する扉と、装置本体内部に装着されており、前記扉を開いて開口から着脱できる着脱ユニットと、前記着脱ユニット内部の紙を検知する検知手段とを有し、転写紙に画像を形成する画像形成装置において、前記ドアは、開閉角度によって、前記検出器の電源の遮断、モータ及び定着器等の電源を通電状態にすることを特徴とする。  【選択図】図３
2006163192.tif 000002
【特許請求の範囲】
【請求項１】
装置本体内部を露出するために開閉する扉を有し、転写紙に画像を形成する画像形成装置において、
前記扉が所定の開閉角度なることによって、画像形成装置の電源を供給することを特徴とする画像形成装置。
【請求項２】
前記扉には扉の動作が固定される複数の開閉角度を持ち、前記複数の開閉角度と連動し、画像形成装置の電源の供給・遮断と連動していることを特徴とする請求項１記載の画像形成装置。
【請求項３】
前記装置本体の扉ヒンジ部に前記検出器の電源スイッチと、前記扉に電源スイッチの押圧手段とを有し、所定の開閉角度により前記押圧手段が電源スイッチを押圧し、画像形成装置の電源の供給をすることを特徴とする請求項１又は２記載の画像形成装置。
【請求項４】
前記押圧手段は押圧部がカム形状としていることを特徴とする請求項３記載の画像形成装置。
【請求項５】
前記開閉角度は前記扉の開閉角度を規制する手段を持ち、前記手段を開放することで、本体の電源を通電する開閉角度に開閉可能となることを特徴とする請求項１記載の画像形成装置。
【請求項６】
複数の開閉角度を持ち、装置本体内部を露出するために開閉する扉と、装置本体内部に装着されており、前記扉を開いて開口から着脱できる着脱ユニットと、前記着脱ユニット内部の残留紙を検知する検知手段とを有し、転写紙に画像を形成する画像形成装置において、
前記扉は、開閉角度によって、前記検出器の電源の遮断することを特徴とする画像形成装置。
【請求項７】
前記扉開閉角度は第１の開閉角度は前記着脱ユニットの着脱を妨げる位置であり、転写紙の紙詰まりを確認及び処理ができる位置、他の開閉開閉は前記着脱ユニットの着脱位置にあり、前記扉の他の開閉位置において着脱ユニット内の検出器への電源の供給を遮断することを特徴とする請求項６記載の画像形成装置。
【請求項８】
前記装置本体の扉ヒンジ部に前記検出器の電源スイッチと、前記扉に電源スイッチの押圧手段とを有し、第２の開閉位置により前記押圧手段が電源スイッチを開放し、電源の供給を遮断することを特徴とする請求項７記載の画像形成装置。
【請求項９】
前記押圧手段は、押圧部がカム形状としていることを特徴とする請求項８記載の画像形成装置。
【請求項１０】
前記押圧手段は押圧手段内部が弾性部材で構成されていることを特徴とする請求項８記載の画像形成装置。
【発明の詳細な説明】
【技術分野】
【０００１】
本発明は、複写機やプリンタ等のカラー画像形成装置に関するものである。
【背景技術】
【０００２】
画像形成装置は、各部材を外部から保護するために装置全体を装置保護カバーで覆っているが、この保護カバーの一部にはプロセスカートリッジ等の交換ユニットやトナーの補給、或は装置内に滞留した記録紙を取り除く、所謂ジャム処理を行うために開閉可能なドア部材を設け、このドア部材を使用者が開けて適切な処置を行えるようにしている。そして、前記保護カバーは通常電気的絶縁処理が施されているが、ドア部材を開いた場合に対応して装置内のモータ・転写電流等のドアの開閉により電流を切るようにしている（例えば、特許文献１参照）。又、近年、紙詰まり、つまり、ジャム発生及びユニットの交換等にユーザーが処理する場合を考慮して、操作部のオペレーションパネルに処理方法及びジャム処理位置を表示してユーザーに分かり易く順次表示していく（以下、オートナビ）ような機種が増加している。
【０００３】
【特許文献１】特開昭６２−０３４１７１号公報
【発明の開示】
【発明が解決しようとする課題】
【０００４】
その際、ジャム検知センサの出力でジャム処理位置をユーザーに知らせるため、ドアの開閉により前記センサの電源の供給を遮断してしまうと、ジャムが取り除かれたことを判断することができない。ドアの開閉により前記センサに電流を通電の状態であると、ユニットを着脱に際、ユニット内部にある前記センサの電流を無理やり遮断することになり、センサを破損する危険性があった。又、サービスマンが動作チェックする際、ドアを閉じないと電源が供給されないため、動作チェックがしにくかった。
【０００５】
本発明は従来の上記課題を解決するものであり、ドアの開閉動作が起こってもユーザビリティー向上し、安全にユニットが着脱でき、又、サービス性を向上し得る画像形成装置を提供することを目的としている。
【課題を解決するための手段】
【０００６】
上記目的を達成するため、請求項１記載の発明は、装置本体内部を露出するために開閉する扉を有し、転写紙に画像を形成する画像形成装置において、前記扉が所定の開閉角度なることによって、画像形成装置の電源を供給することを特徴とする。
【０００７】
請求項２記載の発明は、請求項１記載の発明において、前記扉には扉の動作が固定される複数の開閉角度を持ち、前記複数の開閉角度と連動し、画像形成装置の電源の供給・遮断と連動していることを特徴とする。
【０００８】
請求項３記載の発明は、請求項１又は２記載の発明において、前記装置本体の扉ヒンジ部に前記検出器の電源スイッチと、前記扉に電源スイッチの押圧手段とを有し、所定の開閉角度により前記押圧手段が電源スイッチを押圧し、画像形成装置の電源の供給をすることを特徴とする。
【０００９】
請求項４記載の発明は、請求項３記載の発明において、前記押圧手段は押圧部がカム形状としていることを特徴とする。
【００１０】
請求項５記載の発明は、請求項１記載の発明において、前記開閉角度は前記扉の開閉角度を規制する手段を持ち、前記手段を開放することで、本体の電源を通電する開閉角度に開閉可能となることを特徴とする。
【００１１】
請求項６記載の発明は、複数の開閉角度を持ち、装置本体内部を露出するために開閉する扉と、装置本体内部に装着されており、前記扉を開いて開口から着脱できる着脱ユニットと、前記着脱ユニット内部の残留紙を検知する検知手段とを有し、転写紙に画像を形成する画像形成装置において、前記扉は、開閉角度によって、前記検出器の電源の遮断することを特徴とする。
【００１２】
請求項７記載の発明は、請求項６記載の発明において、前記扉開閉角度は第１の開閉角度は前記着脱ユニットの着脱を妨げる位置であり、転写紙の紙詰まりを確認及び処理ができる位置、他の開閉開閉は前記着脱ユニットの着脱位置にあり、前記扉の他の開閉位置において着脱ユニット内の検出器への電源の供給を遮断することを特徴とする。
【００１３】
請求項８記載の発明は、請求項７記載の発明において、前記装置本体の扉ヒンジ部に前記検出器の電源スイッチと、前記扉に電源スイッチの押圧手段とを有し、第２の開閉位置により前記押圧手段が電源スイッチを開放し、電源の供給を遮断することを特徴とする。
【００１４】
請求項９記載の発明は、請求項８記載の発明において、前記押圧手段は、押圧部がカム形状としていることを特徴とする。
【００１５】
請求項１０記載の発明は、請求項８記載の発明において、前記押圧手段は押圧手段内部が弾性部材で構成されていることを特徴とする。
【発明の効果】
【００１６】
本発明によれば、センサの電源を所定の開閉角度に対して遮断することでユーザビリティーを向上させることができ、更に電気部品の破損を防止し、ユーザーが安全にユニット着脱することができる。又、更に開閉させ本体の電源を入れることでサービスマンが扉を開けた状態で動作チェックを行うことができ、サービス性を向上することができる。
【発明を実施するための最良の形態】
【００１７】
以下に本発明の実施の形態を添付図面に基づいて説明する。
【００１８】
＜実施の形態１＞
本実施の形態では、図１に示すように、斜め方向に並設された像担持体となるイエロー、マゼンタ、シアン、ブラック用の４個の電子写真感光体ドラム１ａ，１ｂ，１ｃ，１ｄ（以下、単に「感光体ドラム１」と言う）を備えており、感光体ドラム１に対向して該感光体ドラム１の表面に形成されたトナー画像が一次転写される中間転写体となる中間転写ベルト１２ｅが駆動ローラ１２ｆ及び従動ローラ１２ｇにより張架されており、該中間転写ベルト１２ｅを挟んで従動ローラ１２ｇに対向する位置に二次転写手段１６が配置されている。
【００１９】
各感光体ドラム１に形成されたトナー画像は、転写手段１２ａ，１２ｂ，１２ｃ，１２ｄの作用により中間転写ベルト１２ｅに一次転写される。各感光体ドラム１の周囲には、その回転方向上流側から順に、感光体ドラム１の表面を均一に帯電するための帯電手段となる一次帯電器２ａ，２ｂ，２ｃ，２ｄ（以下、単に「一次帯電器２」と言う）が配され、一次帯電器２により一様に帯電された感光体ドラム１の表面に画像情報に基づいてレーザビームを照射して静電潜像を形成する露光手段３が配置されている。
【００２０】
更に、静電潜像が形成された感光体ドラム１の表面に各色のトナーを付着させてトナー画像として顕像化する現像手段４０ａ，４０ｂ，４０ｃ，４０ｄ（以下、単に「現像手段４０」と言う）、転写後の感光体ドラム１の表面に残留したトナーを除去するクリーニング手段８ａ，８ｂ，８ｃ，８ｄ（以下、単に「クリーニング手段８」と言う）が配置されている。
【００２１】
一方、給紙カセットからピックアップローラ９により繰り出された転写材１１は、図示しない分離手段により１枚ずつ分離給送された後、搬送ローラ対１３によりレジストローラ対１７に送られ、該レジストローラ対１７により、所定のタイミングで中間転写ベルト１２ｅと二次転写手段１６との間に搬送され、該二次転写手段１６の作用により中間転写ベルト１２ｅに一次転写されたトナー画像が二次転写される。
【００２２】
トナー画像が転写された転写材１１は、定着手段１４によりトナー画像が定着された後、排出ローラ対２０により搬送されて、装置本体の上部に設けられた排出トレイ２１上に排出される。本体上部には図示しない表示部があり、ジャム処理の場所及び手順、ユニット交換手順が表示部に表示される。
【００２３】
図２に示すように、装置本体１００右側は、ジャム処理及び交換ユニットの着脱を行えるようドア（以下、右ドア）３２で構成されており、クリック感により、ジャム処理用の開閉角度とユニット交換用の開閉角度との２段階の開閉角度を実現している。本実施の形態においては、ジャム処理用の開閉角度を９０°３２ａ、ユニット交換用の開閉角度を１３０°３２ｂとしている。ジャム処理位置では中間転写ユニット１２の交換用の解除レバーがドアにより妨げられていて、装置から着脱することができない。
【００２４】
図３を用いて本発明の実施構成について説明する。図３（ａ）は右ドアが閉じたときのセンサ電源スイッチ部の構成図、図３（ｂ）は右ドアがジャム処理位置に開いたときのセンサ電源スイッチ部の構成図、図３（ｃ）は右ドアがユニット交換位置まで開いたときのセンサ電源スイッチ部の構成図である。
【００２５】
右ドアのヒンジ部分にあるカム形状をしたスイッチ押圧部材３３と装置本体内部に取り付けられたセンサの電源スイッチ３４で構成されている。図３（ａ），（ｂ）は右ドアが閉まった位置及び右ドア３２がジャム処理位置３２ａまで開いた場合はスイッチがスイッチ押圧部材３３に押圧されている状態であり、センサの電源は遮断されない。
【００２６】
右ドアユニット交換位置３２ｂに開いた場合は、図３（ｃ）で示すように、スイッチ３４が開放され、センサの電源が切れる。これにより、右ドア３２の開閉によりジャム検知センサの出力を維持したまま、ドア開閉動作が行え、ユニット交換時においてセンサの電源を遮断しているために、センサ等の電気部品の破損を防止できる。
【００２７】
＜実施の形態２＞
次に、本発明の実施の形態２を図４に基づいて説明する。
【００２８】
図４（ａ）は右ドアが閉じたときのセンサ電源スイッチ部の構成図、図４（ｂ）は右ドアがジャム処理位置に開いたときのセンサ電源スイッチ部の構成図、図４（ｃ）は右ドアがユニット交換位置まで開いたときのセンサ電源スイッチ部の構成図である。実施の形態１と同様に装置本体内部にセンサの電源スイッチ３４が、右ドア３２のヒンジ部分に取り付けられたスイッチ押圧部材３５が取り付けられている。本実施の形態では、ジャム処理時の開閉角度を６０°、ユニット着脱角度を９０°としている。
【００２９】
図４（ａ），（ｂ）に示すように、右ドアが閉まった位置及びジャム処理位置においてはスイッチ押圧部材を介してセンサの電源スイッチのレバー３４ａがバネで押圧され、センサの電源は遮断されない。しかし、右ドア３２がユニット交換位置まで開いた場合、スイッチ押圧部材３５がセンサの電源３４から退避し、センサの電源スイッチレバー３４を開放し、センサ電源を遮断する。
【００３０】
而して、本実施の形態においても実施の形態１と同様な効果が得られる。
【００３１】
＜実施の形態３＞
次に、本発明の実施の形態３を図５に基づいて説明する。
【００３２】
装置本体１００のヒンジ部にはインターロックスイッチ３６があり、装置の電源の遮断を行っている。又、実施の形態１と同様に右ドア３２のヒンジ部分にはスイッチ押圧部材３３が備え付けられており、ドア閉状態ではインターロックスイッチ３６を押圧し、装置に電源を供給している。右ドア３３に開閉ストッパー３７が備え付けられており、最大開閉を第１の開閉角度３２ｃに規制し、ユーザーの安全を確保している。右ドア３２を開閉するとスイッチ押圧部材３３がインターロックスイッチ３６を開放され、右ドアが閉状態から第１の開閉角度３２ｃまで装置の電源を遮断している。
【００３３】
前記開閉ストッパー３７を解放すると、右ドア３２を第2 の開閉角度３２ｄまで更に開くことができる。右ドア３２を第２の開閉角度３２ｄの角度まで開くと、スイッチ押圧部材３３にてインターロックスイッチ３６が押圧され、装置本体に電源が供給される。サービスマンが装置本体の動作チェック時にストッパーを解放するといった簡単な動作で装置の内部の動作チェックを行うことが可能になる。
【図面の簡単な説明】
【００３４】
【図１】本発明の実施の形態１に係るカラー画像形成装置の要部構成を示す縦断面図である。
【図２】装置本体右側のドアの開閉角度についての説明図である。
【図３】本発明の実施の形態１に係る開閉角度によるセンサの電源遮断方式の説明図である。
【図４】本発明の実施の形態２に係る開閉角度によるセンサの電源遮断方式の説明図である。
【図５】本発明の実施の形態３に係る開閉角度による装置本体の電源供給方式の説明図である。
【符号の説明】
【００３５】
１ａ，１ｂ，１ｃ，１ｄ  感光ドラム
２ａ，２ｂ，２ｃ，２ｄ  帯電ローラ
３ａ，３ｂ，３ｃ，３ｄ  露光装置
６ａ，６ｂ，６ｃ，６ｄ  転写ローラ
７ａ，７ｂ，７ｃ，７ｄ  プロセスカートリッジ
８ａ，８ｂ，８ｃ，８ｄ  クリーニングブレード
１２  中間転写ベルトユニット
１４  定着装置
１６  二次転写ローラ
２２  中間転写ベルトクリーニング装置
３２，３２ａ，３２ｂ  右ドア
３３  スイッチ押圧部材（カム形状）
３４  電源スイッチ
３４ａ  電源スイッチレバー
３５  スイッチ押圧部材（バネタイプ）
３７  開閉ストッパー
４０ａ，４０ｂ，４０ｃ，４０ｄ  現像ローラ
４１ａ，４１ｂ，４１ｃ，４１ｄ  現像剤塗布ローラプロセスカートリッジ
１００  画像形成装置
【図１】
2006163192.tif 000003
【図２】
2006163192.tif 000004
【図３】
2006163192.tif 000005
【図４】
2006163192.tif 000006
【図５】
2006163192.tif 000007